(57)【要約】【課題】撮影時に十分な音量のシャッタ音を必ず鳴らすことができ、撮影行為を周囲に報知することが可能で、また、撮影画像データの悪用を防止できる撮像端末を提供する。【解決手段】シャッタ発生音を設定するアプリケーションまたはシャッタ発生音に関するデータにより設定可能なシャッタ音設定データを記憶するデータ記憶部１５と、データ記憶部１５に記憶されたシャッタ音設定データによりシャッタ音を発生するシャッタ音発生部１３と、シャッタ発生音を設定するアプリケーションまたはシャッタ発生音に関するデータにより発生されるシャッタ音が所定音量以上か否か判断するサウンダ監視部１４とを有し、サウンダ監視部１４の判断に基づきシャッタ音が所定音量以上でないことが判断された場合、強制的に所定音量以上のシャッタ音を発生する。【選択図】図１
2010244055.tif 000002
【特許請求の範囲】
【請求項１】
シャッタ発生音を設定するアプリケーションまたは前記シャッタ発生音に関するデータにより設定可能なシャッタ音設定データを記憶するデータ記憶部と、
前記データ記憶部に記憶されたシャッタ音設定データによりシャッタ音を発生するシャッタ音発生手段と、
前記シャッタ発生音を設定するアプリケーションまたは前記シャッタ発生音に関するデータにより発生されるシャッタ音が所定音量以上か否か判断するシャッタ音適性チェック手段と、を備え、
前記シャッタ音適性チェック手段により、シャッタ音が前記処理量以上でないことが判断された場合、強制的に前記処理音量以上のシャッタ音を発生する
撮像端末。
【請求項２】
撮影手段と、
前記撮影手段を制御する撮影ドライバと、
前記シャッタ音発生手段を制御するシャッタ音ドライバと、
前記撮影ドライバ及びシャッタ音ドライバに指令する撮影アプリケーションと、
前記撮影アプリケーションから前記撮影ドライバに撮影指示を指令したことを検知し、前記シャッタ音ドライバとは別に前記シャッタ音発生手段にシャッタ音発生を指令する強制シャッタ音発生ドライバと、をさらに備えた
請求項１に記載の撮像端末。
【請求項３】
前記シャッタ音適性チェック手段は、撮影開始から一定時間内に所定音量以上のシャッタ音が発生されると適性と判断する
請求項１または２に記載の撮像端末。
【請求項４】
前記データ記憶部は、設定データを記憶するシャッタ音設定データ記憶部と、基本シャッタ音を記憶する基本シャッタ音データ記憶部と、を含み、
前記シャッタ音発生手段は、前記チャッタ音適性チェック手段により不適性と判断されると、前記基本シャッタ音データ記憶部の基本シャッタ音データによりシャッタ音を発生する
請求項１から３のいずれか一に記載の撮像端末。
【請求項５】
シャッタ発生音を設定するアプリケーションまたは前記シャッタ発生音に関するデータにより設定可能なシャッタ音設定データを記憶するデータ記憶部と、
前記データ記憶部に記憶されたシャッタ音設定データによりシャッタ音を発生するシャッタ音発生手段と、
前記シャッタ発生音を設定するアプリケーションまたは前記シャッタ発生音に関するデータにより発生されるシャッタ音が所定音量以上か否か判断するシャッタ音適性チェック手段と、
撮影画像データを一時保存する保存部と、を備え、
前記シャッタ音が適性でないと判断した場合に、前記保存部に保存された前記撮影画像データの読み出しを禁止する
撮像端末。
【請求項６】
前記シャッタ音適性チェック手段は、シャッタ音が適性でないと判断した場合、前記保存部に保存された撮影画像データを削除する
請求項５に記載の撮像端末。
【請求項７】
前記シャッタ音適性チェック手段は、マイクロフォンによりシャッタ音の音量を検知する手段、シャッタ音発生手段のシャッタ音に関係するデジタルまたはアナログの信号振幅を検出する手段の少なくとも一方を含む
請求項１から６のいずれか一に記載の撮像端末。
【発明の詳細な説明】
【技術分野】
【０００１】
本発明は、シャッタ発生音を設定するアプリケーションやシャッタ発生音に関するデータをインストール、設定、または書き換え可能な、カメラ機能付携帯端末等の撮像端末に関するものである。
【背景技術】
【０００２】
現在、携帯電話機等にデジタルカメラ等の撮影装置を備えたカメラ機能付き携帯端末が普及しているが、カメラ機能付き携帯端末よる盗撮行為が社会的な問題となっている。
そのため、撮影行為を周囲に報知する目的で、マナーモード等の設定にかかわらず撮影時に十分な音量のシャッタ音を必ず鳴らすことが一般的となっており、カメラ付き携帯電話のキャリア仕様にもなっている。
【０００３】
また、撮影時に鳴らすシャッタ音用サウンドデータを事前の設定により選択可能であるが、現状では選択肢が固定されており、ユーザは予め用意された選択肢からしか設定できない仕様となっている。
したがって、ユーザがどのサウンドデータを設定していても撮影時には十分な音量のシャッタ音を必ず鳴らして、周囲に撮影行為を報知することができる。
【０００４】
一方、ＢＲＥＷ、ｉαｐｐｌｉ、Ｖアプリ、ＭｉｃｒｏｓｏｆｔＳｍａｒｔｐｈｏｎｅ、Ｌｉｎｕｘ、Ｓｙｍｂｉａｎ等のプラットフォームを搭載する携帯端末も普及しており、ユーザの好みに応じて様々なアプリケーションソフトを追加可能となっている。
これにより、カメラ機能を制御可能なアプリケーションソフトをユ−ザの判断で追加して使用可能となってきている。
【０００５】
このように、撮影時にシャッタ音を鳴らすように構成された装置としては、たとえば以下の第１から第７の装置が提案されている。
【０００６】
第１の装置は、メカニカルシャッタ音がない、もしくはほとんど聞こえない電子スチルカメラ等の撮像端末であって、撮影開始時と終了時を音声で出力することで撮影時のシャッタタイムを直感的に知ることができる撮像端末である（たとえば特許文献１参照）。
【０００７】
第２の装置は、ネットワークを介してサーバ−から取得した音声データをシャッタ音に利用可能な携帯電話機である。
【０００８】
第３の装置は、シャッタ音を含むカメラ制御プログラムをメモリカードにて書換可能な記録再生装置である。
【０００９】
第４の装置は、サーバよりシャッタ音データをダウンロードし設定変更できるデジタルカメラである。
【００１０】
第５の装置は、ネットワークからアクセサリ用アプリケーションをダウンロード可能な携帯端末である。
【００１１】
第６の装置は、デジタルカメラの診断アプリケーションをネットワークを介して提供するデジタルカメラ等の電子機器デバイスをリモートでサポートするシステムである。
【００１２】
第７の装置は、ネットワークを介してアプリケーションの提供等を可能にした携帯電話機である。
【先行技術文献】
【特許文献】
【００１３】
【特許文献１】特開２００３―３３８９５６号公報
【発明の概要】
【発明が解決しようとする課題】
【００１４】
ところで、近い将来、上述したシャッタ音用サウンドデータは、インターネットや外部装置を介してユーザが自由に入手して選択肢に追加可能となることが予想される。
その場合、撮影行為を周囲に報知するという目的に対して適切ではないシャッタ音用サウンドデータをユーザが設定するおそれがある。
【００１５】
また、上述したプラットフォームを搭載したカメラ機能付き携帯端末の場合、撮影時にシャッタ音を鳴らさない、あるいは設定によりシャッタ音を無音にできるという仕様のカメラアプリケーションソフトを追加して使用されてしまうおそれがある。
【００１６】
本発明の目的は、撮影時に十分な音量のシャッタ音を必ず鳴らすことが可能であったり、撮影画像データの悪用を防止することが可能な撮像端末を提供することにある。
【課題を解決するための手段】
【００１７】
上記目的を達成するため、本発明の第１の観点の撮像端末は、シャッタ発生音を設定するアプリケーションまたは前記シャッタ発生音に関するデータにより設定可能なシャッタ音設定データを記憶するデータ記憶部と、前記データ記憶部に記憶されたシャッタ音設定データによりシャッタ音を発生するシャッタ音発生手段と、前記シャッタ発生音を設定するアプリケーションまたは前記シャッタ発生音に関するデータにより発生されるシャッタ音が所定音量以上か否か判断するシャッタ音適性チェック手段と、を備え、前記シャッタ音適性チェック手段により、シャッタ音が前記処理量以上でないことが判断された場合、強制的に前記処理音量以上のシャッタ音を発生する。
【００１８】
好適には、撮影手段と、前記撮影手段を制御する撮影ドライバと、前記シャッタ音発生手段を制御するシャッタ音ドライバと、前記撮影ドライバ及びシャッタ音ドライバに指令する撮影アプリケーションと、前記撮影アプリケーションから前記撮影ドライバに撮影指示を指令したことを検知し、前記シャッタ音ドライバとは別に前記シャッタ音発生手段にシャッタ音発生を指令する強制シャッタ音発生ドライバと、をさらに備えている。
【００１９】
好適には、前記シャッタ音適性チェック手段は、撮影開始から一定時間内に所定音量以上のシャッタ音が発生されると適性と判断する。
【００２０】
好適には、前記データ記憶部は、設定データを記憶するシャッタ音設定データ記憶部と、基本シャッタ音を記憶する基本シャッタ音データ記憶部と、を含み、前記シャッタ音発生手段は、前記チャッタ音適性チェック手段により不適性と判断されると、前記基本シャッタ音データ記憶部の基本シャッタ音データによりシャッタ音を発生する。
【００２１】
本発明の第１の観点の撮像端末は、シャッタ発生音を設定するアプリケーションまたは前記シャッタ発生音に関するデータにより設定可能なシャッタ音設定データを記憶するデータ記憶部と、前記データ記憶部に記憶されたシャッタ音設定データによりシャッタ音を発生するシャッタ音発生手段と、前記シャッタ発生音を設定するアプリケーションまたは前記シャッタ発生音に関するデータにより発生されるシャッタ音が所定音量以上か否か判断するシャッタ音適性チェック手段と、撮影画像データを一時保存する保存部と、を備え、前記シャッタ音が適性でないと判断した場合に、前記保存部に保存された前記撮影画像データの読み出しを禁止する。
【００２２】
好適には、前記シャッタ音適性チェック手段は、シャッタ音が適性でないと判断した場合、前記保存部に保存された撮影画像データを削除する。
【００２３】
好適には、前記シャッタ音適性チェック手段は、マイクロフォンによりシャッタ音の音量を検知する手段、シャッタ音発生手段のシャッタ音に関係するデジタルまたはアナログの信号振幅を検出する手段の少なくとも一方を含む。
【発明の効果】
【００２４】
本発明によれば、撮影時に十分な音量のシャッタ音を必ず鳴らすことが可能であったり、撮影により取得した撮影画像データを使用できないため、撮影画像データの悪用を防止することが可能となる。
【図面の簡単な説明】
【００２５】
【図１】本発明に係る撮像端末を適用した携帯電話機の第１の実施形態を示す構成図である。
【図２】サウンダ部から適切な音量のシャッタ音が鳴動した場合の波形例を示す図である。
【図３】サウンダ部から適切な音量のシャッタ音が鳴動しなかった場合の波形例を示す図である。
【図４】サウンダ部から適切な音量のシャッタ音が鳴動せず、基本シャッタ音を鳴動させた場合の波形例を示す図である。
【図５】図１の撮像端末の動作を説明するための図である。
【図６】本発明に係る撮像端末を適用した携帯電話機の第２の実施形態を示す構成図である。
【図７】図６の撮像端末の動作を説明するための図である。
【発明を実施するための形態】
【００２６】
以下、本発明の実施形態を、図面に関連付けて説明する。
【００２７】
＜第１実施形態＞
図１は、本発明に係る撮像端末を適用した携帯電話機の第１の実施形態を示す構成図である。
【００２８】
本携帯電話機１０は、図１に示すように、無線通信部１１、撮像手段としての撮像部（カメラ部）１２、シャッタ音発生手段としての報知部（サウンダ部）１３、シャッタ音適性チェック手段としてのサウンダ監視部１４、データ記憶部としてのメモリ部１５、表示部１６、音声出力部１７、音声入力部１８、キー操作部１９、制御部２０、時計・タイマ部２１を有している。
また、図１において、符号３０は無線基地局を、３１は通信網をそれぞれ示している。
【００２９】
無線通信部１１は、電波を利用した無線通信を行うために、制御部２０で処理された画像データ、音声情報、電子メール等の各種情報を変調して図示しない送受信アンテナを通して無線基地局３０を含む通信網３１に送信する。
また、無線通信部１１は、図示しないサーバから通信網３１を介して送信されてくる画像データ、音声情報、電子メール等を送受信アンテナを通して受信し、受信した各種情報を復調して制御部２０に出力する。
【００３０】
カメラ部１２は、被写体像を取り込むための対物レンズを含む光学系と、光学系により結像された被写体の像を電気信号に変換する撮像素子を含む撮像処理回路とを有し、たとえばキー操作部１９に配置される撮影キーが操作されると、光学系により被写体の光学像を撮影する。
【００３１】
撮像処理回路は、光学系により結像された被写体の光学像を電気信号に変換する。
具体的には、撮像処理回路において、被写体の像は、撮像素子の２次元平面上に画素単位で配置される複数の受光素子により受光される。その際、受光素子上のカラーフィルタを通して色の情報を光３原色（Ｒ，Ｇ，Ｂ）に分解して取り組む。
そして、撮像処理回路は、各画素の輝度値を電圧に変換し、順にアナログ／デジタル（Ａ／Ｄ）変換器によってデジタルデータに変換して制御部２０に供給する。
なお、撮像素子としては、たとえばＣＣＤやＣＭＯＳセンサが適用される。
【００３２】
報知部（サウンダ部）１３は、制御部２０の指示に従って、シャッタ音設定データまたは基本シャッタ音データに応じたシャッタ音を発生する。
報知部１３は、たとえばサウンダやバイブレータにより構成される。
【００３３】
サウンダ監視部１４（シャッタ音適性チェック機能）は、制御部２０の指示に従って、サウンダ部（報知部）１３により発生されるシャッタ音が所定音量以上であるか否かを判断し、発生されたシャッタ音が適性であるか判断し、その結果を制御部２０に出力する。
ここで、サウンダ監視部１４は、マイクロフォンとマイクロフォンから入力される音をＡ／Ｄ変換する回路とを含むものであったり、サウンダ部１３に出力される音声信号の振幅等をＡ／Ｄ変換して取り込む回路であったり、さらには制御部２０がサウンダ部１３へ出力するデジタルデータより出力音量を検知するものであったりしてもよい。
制御部２０から指示を受けたサウンダ監視部１４は、サウンダ部１３を監視し、一定時間内に”撮影行為を周囲に報知するという目的”に対して適切な音を鳴らしたかどうかを判断する。
この判断により、一定時間内に適切な音を鳴らしていないと判断した場合、サウンダ監視部１４は、制御部２０のサウンダ部ドライバに対して基本シャッタ音データによる音の送出を指示する。
【００３４】
本実施形態においては、サウンダ監視部１４による”適切な音の鳴動の判断基準”の具体的例として、下記を想定する。
可聴範囲の周波数による音であり、監視開始（撮影）から０．５秒（ｓｅｃ）経過以内に６５ｄＢ以上の音量にて０．２ｓｅｃ以上の鳴動を行っていた場合を”適切”と判断する。
【００３５】
図２は、サウンダ部から適切な音量のシャッタ音が鳴動した場合の波形例を示す図である。
また、図３（Ａ），（Ｂ）はサウンダ部から適切な音量のシャッタ音が鳴動しなかった場合の波形例を示す図である。
図３（Ａ）は、監視開始（撮影）から０．５秒（ｓｅｃ）経過以内に６５ｄＢ以上の音量が無かった場合の波形例を示している。また、図３（Ｂ）は、監視開始（撮影）から０．５秒（ｓｅｃ）経過以前に６５ｄＢ以上の音量が０．２ｓｅｃ未満である場合の波形例を示している。
【００３６】
さらに、図４は、判断基準にて、サウンダ監視部が適切な音を鳴らしていないと判断し、サウンダ部ドライバに対して基本シャッタ音データによる音の送出を指示して、サウンダ部から基本シャッタ音を鳴動した場合の波形例を示す図である。
換言すれば、図４は、サウンダ部から適切な音量のシャッタ音が鳴動せず、基本シャッタ音を鳴動させた場合の波形例を示している。
【００３７】
メモリ部１５は、シャッタ発生音を設定するアプリケーションまたはシャッタ発生音に関するデータにより設定可能なシャッタ音設定データを記憶するシャッタ音設定データ記憶部１５１と、シャッタ音用サウンドデータとしてデフォルトで用意する基本シャッタ音データを記憶する基本シャッタ音データ記憶部１５２とを有する。
メモリ部１５は、制御部２０によりアクセスされる。
メモリ部１５は、ＥＥＰＲＯＭ等の不揮発性メモリを含み、撮像部１２により撮影され、圧縮された画像データ等を格納する。
【００３８】
表示部１６は、制御部２０の制御の下、液晶表示装置等の表示デバイスを有し、通話機能のために入力した電話番号や各種メッセージ、テキストデータ等を表示する。
また、表示部１６は、撮像部１２により得られた被写体の画像を表示する。
【００３９】
音声処理部１７は、制御部２０により供給された音声情報に対して所定の処理を行ってスピーカから放音させる。
【００４０】
音声出力部１８は、マイクロフォンにより集音した音声に対して所定の処理を行って制御部２０に出力する。
【００４１】
キー操作部１９は、終了（終話）／電源キー、開始（発呼）キー、数字等に対応した複数のテンキーや撮影キー等を有し、これらのキーが操作されることにより、ユーザからの入力情報を制御部２０に供給する。
【００４２】
制御部２０は、マイクロコンピュータを主体として構成され、撮像端末としての携帯電話機１０の全体の制御を行う。
たとえば、制御部２０は、無線通信部１１における各種情報の無線による送受信の制御、音声出力部１７、音声入力部１８に対する音声情報の処理、表示部１６への情報の表示制御、キー入力部１９の入力情報に応じた処理、メモリ部１５に対するアクセス制御等を行う。
【００４３】
制御部２０は、サウンダ監視部１４（シャッタ音適性チェック機能）の判断に基づきシャッタ発生音を設定するアプリケーションまたはシャッタ発生音に関するデータによるシャッタ音設定データの設定を禁止する機能を有してもよい。
制御部２０は、サウンダ部１３を制御するサウンダ部（シャッタ音）ドライバ２０１と、カメラ部（撮影）ドライバ２０２と、カメラ部ドライバ２０２およびサウンダ部（シャッタ音）ドライバ２０１に指令するカメラ（撮影）アプリケーション２０３と、カメラ（撮影）アプリケーション２０３からカメラ部ドライバ２０２に撮影指示を指令したことを検知し、サウンダ部（シャッタ音）ドライバ２０１にシャッタ音発生を指令する強制シャッタ音発生ドライバと、を備えている。
【００４４】
制御部２０は、カメラアプリケーション２０３からカメラ部ドライバ２０２に対して撮影指示があった場合、カメラ部ドライバ２０２からサウンダ監視部１４ヘサウンダ部監視指示を行う。
指示を受けたサウンダ監視部１４はサウンダ部１３を監視し、一定時間内に”撮影行為を周囲に報知するという目的”に対して適切な音を鳴らしたかどうかを判断する。
前述の判断により、一定時間内に適切な音を鳴らしていないと判断した場合、サウンダ監視部はサウンダ部ドライバに対して基本シャッタ音データによる音の送出を指示する。
制御部２０は、サウンダ監視部１４の音の送出指示を受けてメモリ部１５をアクセスして、シャッタ音設定データまたは基本シャッタ音データを読み出してサウンダ部１３に出力する。
【００４５】
次に、図１の撮像端末の動作を図５に関連付けて説明する。
【００４６】
図１の撮像端末１０において、キー操作部１９の撮影キーが操作されて（ＳＴ１）、制御部２０のカメラアプリケーション２０３を通してカメラ部ドライバ２０２に対して撮影指示があった場合（ＳＴ２）、カメラ部ドライバ２０２からサウンダ監視部１４に対してサウンダ部１３の監視指示を行う（ＳＴ３）。指示を受けたサウンダ監視部はサウンダ部から鳴動する音を一定時間監視する（ＳＴ４）。
また、カメラ部ドライバ２０２からカメラ部（撮像部）１２に対する撮影制御が行われる（ＳＴ５）。
また、カメラアプリケーション２０３からサウンダ部ドライバ２０１に対してシャッタ音鳴動指示が行われる（ＳＴ６）。これに伴い、メモリ部１５からシャッタ音設定データが読み出され（ＳＴ７）、サウンダ部ドライバ２０１によりサウンダ部１３に対してシャッタ音設定データにより鳴動制御が行われる（ＳＴ８）。
次に、サウンダ監視部１４は、監視した一定時間内にサウンダ部が撮影行為を周囲に報知するという目的に対して適切な音を鳴らしたかどうか、を判断する。
前述の判断により、一定時間内に適切な音を鳴らしていないと判断した場合、サウンダ監視部１４はサウンダ部ドライバ２０２に対して基本シャッタ音データによる音の送出を指示する（ＳＴ９）。
これに伴い、メモリ部１５から基本シャッタ音データが読み出され（ＳＴ１０）、サウンダ部ドライバ２０１からサウンダ部１３に対して基本シャッタ音データにより鳴動制御が行われる（ＳＴ１１）。
【００４７】
以上説明したように、本第１の実施形態によれば、シャッタ発生音を設定するアプリケーションまたはシャッタ発生音に関するデータにより設定可能なシャッタ音設定データを記憶するデータ記憶部１５と、データ記憶部１５に記憶されたシャッタ音設定データによりシャッタ音を発生するシャッタ音発生部１３と、シャッタ発生音を設定するアプリケーションまたはシャッタ発生音に関するデータにより発生されるシャッタ音が所定音量以上か否か判断するサウンダ監視部１４とを有し、サウンダ監視部１４の判断に基づきシャッタ音が所定音量以上でないことが判断された場合、強制的に所定音量以上のシャッタ音を発生することから、撮影時に十分な音量のシャッタ音を必ず鳴らすことが可能となり、撮影行為を周囲に報知することが可能となる。
【００４８】
＜第２実施形態＞
図６は、本発明に係る撮像端末の第２の実施形態を示す構成図である。
【００４９】
本第２の実施形態が上述した第１の実施形態と異なる点は、撮影時にカメラ部１２が取得した撮影画像データを一時的に保存する撮影画像一時保存部２２を設けたことにある。
【００５０】
この場合、制御部２０Ａは、カメラアプリケーション２０３からカメラ部ドライバ２０２に対して撮影指示があった場合、カメラ部ドライバ２０２からサウンダ監視部１４Ａヘサウンダ部監視指示を行う。
指示を受けたサウンダ監視部１４Ａはサウンダ部１３を監視し、一定時間内に”撮影行為を周囲に報知するという目的”に対して適切な音を鳴らしたかどうかを判断する。
また、撮影によりカメラ部１２が取得した撮影画像データは撮影画像一時保存部２２に保存して、読み出し禁止状態とする。
前述の判断により、サウンダ部１２が一定時間内に適切な音を鳴らしたと判断した場合、サウンダ監視部１４Ａは撮影画像一時保存部２２の読み出し禁止状態を解除する。
また、サウンダ部１３が一定時間内に適切な音を鳴らしていないと判断した場合、サウンダ監視部は撮影画像一時保存部２２に保管された撮影画像データを削除する。
【００５１】
図７は、図６の撮像端末の動作を説明するための図である。
図７において、図５の処理と同様の部分は同一のステップ番号を付している。
【００５２】
すなわち、図６の撮像端末１０Ａにおいて、キー操作部１９の撮影キーが操作されて（ＳＴ１）、制御部２０Ａのカメラアプリケーション２０３を通してカメラ部ドライバ２０２に対して撮影指示があった場合（ＳＴ２）、カメラ部ドライバ２０２からサウンダ監視部１４Ａに対してサウンダ部１３の監視指示を行う（ＳＴ３）。指示を受けたサウンダ監視部はサウンダ部から鳴動する音を一定時間監視する（ＳＴ４）。
また、カメラ部ドライバ２０２からカメラ部（撮像部）１２に対する撮影制御が行われる（ＳＴ５）。
また、カメラアプリケーション２０３からサウンダ部ドライバ２０１に対してシャッタ音鳴動指示が行われる（ＳＴ６）。これに伴い、メモリ部１５からシャッタ音設定データが読み出され（ＳＴ７）、サウンダ部ドライバ２０１によりサウンダ部１３に対してシャッタ音設定データにより鳴動制御が行われる（ＳＴ８）。
【００５３】
また、撮影によりカメラ部１２が取得した撮影画像データは撮影画像一時保存部２２に保存して、読み出し禁止状態とする（ＳＴ１２）。
前述の判断により、サウンダ部１３が一定時間内に適切な音を鳴らしたと判断した場合、サウンダ監視部１４Ａは撮影画像一時保存部２２の読み比し禁止状態を解除する（ＳＴ１３）。
また、サウンダ部１３が一定時間内に適切な音を鳴らしていないと判断した場合、サウンダ監視部１４Ａは撮影画像一時保存部２２に保管された撮影画像データを削除する（ＳＴ１３）。
また、撮影画像一時保存部２２に保管された撮影画像データは、制御部２０Ａのカメラアプリケーション２０３を通して読み出される（ＳＴ１４）。ただし、読み出し禁止設定中は読み出し不可能である。
【００５４】
本第２の実施形態によれば、撮影により取得した撮影画像データを使用できないため、撮影画像データの悪用を防止することが可能となる。
【符号の説明】
【００５５】
１０，１０Ａ…携帯電話機（撮像端末）、１１…無線通信部、１２…撮像手段としての撮像部（カメラ部）、１３…シャッタ音発生手段としての報知部(サウンダ部)、１４，１４Ａ…シャッタ音適性チェック手段としてのサウンダ監視部、１５…データ記憶部としてのメモリ部、１６…表示部、１７…音声出力部、１８…音声入力部、１９…キー操作部、２０，２０Ａ…制御部、２１…時計・タイマ部、２２…撮像画像一時保存部、３０…無線基地局、３１…通信網。
【図１】
2010244055.tif 000003
【図２】
2010244055.tif 000004
【図３】
2010244055.tif 000005
【図４】
2010244055.tif 000006
【図５】
2010244055.tif 000007
【図６】
2010244055.tif 000008
【図７】
2010244055.tif 000009
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
設定しているシャッタ音を発生させるシャッタ音発生手段と、
前記シャッタ音発生手段により発生されたシャッタ音が撮影開始から一定期間内に、所定時間以上の間発生したか否か適性を判断するシャッタ音適性チェック手段と、
撮影画像データを一時保存する保存部と、
前記シャッタ音が適性でないと判断された場合、前記保存部に保存された前記撮影画像データの読み出しを禁止する制御手段と、
を備える撮像端末。
【請求項２】
前記制御手段は、前記シャッタ音が適性でないと判断された場合、前記保存部に保存された撮影画像データを削除する、
請求項１に記載の撮像端末。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
本発明の第１の観点の撮像端末は、設定しているシャッタ音を発生させるシャッタ音発生手段と、前記シャッタ音発生手段により発生されたシャッタ音が撮影開始から一定期間内に、所定時間以上の間発生したか否か適性を判断するシャッタ音適性チェック手段と、撮影画像データを一時保存する保存部と、前記シャッタ音が適性でないと判断された場合、前記保存部に保存された前記撮影画像データの読み出しを禁止する制御手段と、を備える。
【手続補正７】
【補正対象書類名】明細書
【補正対象項目名】００２２
【補正方法】変更
【補正の内容】
【００２２】
好適には、前記制御手段は、前記シャッタ音が適性でないと判断された場合、前記保存部に保存された撮影画像データを削除する。
【手続補正８】
【補正対象書類名】明細書
【補正対象項目名】００２３
【補正方法】削除
【補正の内容】